(57)【要約】【課題】  写真を固定しない場合は自由に書き込みをする普通の帳面として使用することができ、写真を固定する場合は接着剤を使用するまでもなく必要に応じて好きな頁に写真を固定できるようにする。【解決手段】  冊子状に綴じられる定形の記入用紙（２）に所定サイズの写真（Ｐ）の四隅を挿し込んで止める切込み（３）が形成された構成であるから、製造コストが嵩まず、記入用紙（２）に写真（Ｐ）を固定しない場合は切込み（３）を無視してその上から普通に書き込むことができ、写真（Ｐ）を固定する場合は夫々の切込み（３）に写真の四隅を挿し込んで止めることができる。【選択図】図１
0003107886.tif 000002
【実用新案登録請求の範囲】
【請求項１】
冊子状に綴じられる定形の記入用紙に所定サイズの写真の四隅を挿し込んで止める切込みが形成されたことを特徴とする帳面。
【請求項２】
前記記入用紙に、所定サイズの写真を横長に置いたときの四隅を挿し込んで止める四つの切込みと、縦長に置いたときの四隅を挿し込んで止める四つの切込みが形成された請求項１記載の帳面。
【請求項３】
所定サイズの写真を横長に置いたときの四隅を挿し込んで止める四つの横置用の切込みの一つが、縦長に置いたときの四隅を挿し込んで止める四つの縦置用の切込みの一つを兼用する請求項２記載の帳面。
【請求項４】
前記記入用紙一枚に写真一枚が固定できるように前記切込みが形成された請求項１乃至３記載の帳面。
【考案の詳細な説明】
【技術分野】
【０００１】
本考案は、記入用紙が冊子状に閉じられる帳面に関し、記入用紙に書き込んだ事項に関連する写真などをその記入用紙に簡単に添付して、日記、旅行日記、雑記帖、料理レシピ、実験記録、その他の各種作業工程記録用のノートとして用いて好適である。
【背景技術】
【０００２】
従来、焼付けた写真を保存するものとして一般的にはアルバムが用いられている。
このアルバムは、台紙の表面に低粘着剤が所定間隔で平行線状に塗布されており、その上にプリントした写真を載せて接着させた後、さらに、台紙の上から透明ビニールカバーを被せて全体を覆うようになっている。
【０００３】
この種のアルバムは、写真の大きさがバラバラであっても、写真を台紙上の好きな場所に固定して整理できるので便利であるが、厚手の台紙を使用していることから、アルバムが重くなり、本棚などの収納棚から取り出すのが億劫になり、また、外出時に携帯するのも面倒である。
【０００４】
なお、写真を現像／同時プリントしたときなどにノベルティとして配布される簡易なアルバムなどは、薄手の台紙に写真を入れるポケットが形成され、それぞれのポケットの横に説明文を書き込むスペースが確保されたものもあり、台紙も薄手であることからアルバムが軽く、本棚などの収納棚から取り出すのも容易であり、外出時に携帯するのも苦にならない。
【０００５】
しかしながら、アルバムは主として写真の保存を目的として制作されているため、写真を保存するという機能に関しては優れているが、旅行へ行ったときに任意の書き込みを行ったところに必要に応じて写真を貼り付けて旅行日記を作成したり、料理学校などで教わった事項をメモしながら必要に応じて写真を貼り付けてレシピ集を作成したり、実験・研究の経過をメモしながら必要に応じて写真を貼り付けて実験・研究記録を作成するような用途には向かない。
【０００６】
旅行日記や雑記帳等を想定すると、撮影した写真を貼っておきたい場合もあれば、絵や地図を書いておきたい場合もある。この場合に、アルバムを開いて台紙のビニールを剥がし、地図や絵を描くことは考えられない。
また、観光名所の写真と共に、その入場券の半券や感想文なども、旅の思い出として記録しておけば、後から見たときに鮮明に思い出され、あるいは第三者に説明することなく旅の様子を伝えることができるが、従来一般のアルバムを用いてそのような旅行日記や雑記帳として使用することは不可能に近い。
【０００７】
また、料理学校で作った作品のレシピ集を作成する場合も、写真の他、レシピや途中での注意書きをメモする必要があり、アルバムを料理学校に持ち込んで講師の話をアルバムにメモすることは考えられない。
【０００８】
なお、スクラップブックに写真を貼り付ければ、記入スペースをかなり自由に使用することができるが、スクラップブックもこれを雑記帖などの帳面代わりに持ち歩く人はなく、さらに、写真を固定する場合は接着剤や両面テープを用いて貼り付けなければならないという面倒が残る。
【考案の開示】
【考案が解決しようとする課題】
【０００９】
そこで本考案は、写真を固定しない場合は普通の帳面として自由に書き込みをすることができ、写真を固定する場合は接着剤を使用するまでもなく必要に応じて好きな頁に写真を固定できるようにすることを課題としている。
【課題を解決するための手段】
【００１０】
本考案に係る帳面は、冊子状に綴じられる定形の記入用紙に所定サイズの写真の四隅を挿し込んで止める切込みが形成されたことを特徴としている。
【００１１】
本考案の帳面は、通状の帳面の記入用紙に写真固定用の切込みを設けた構成であるから、写真を固定せずに書き込みをする場合、切込みを無視してその上から普通に書き込むことができる。
また、写真を固定する場合は、記入用紙に形成された切込みに写真の四隅を挿し込めば、その写真を固定することができ、周囲の余白あるいは見開き隣頁の用紙に自由に書き込むことができる。
【００１２】
なお、記入用紙に形成された切込みは、例えばハガキサイズ、サービスサイズのように予め設定されたサイズ応じて形成されているので、プリントされた写真のサイズに応じた切込みが形成された帳面に固定すればよい。
また、記入用紙はそれほど厚い紙を用いてはいないので、多くの切込みをいれると破れやすくなる。このため、記入用紙１頁に写真一枚を固定できるようにするのが好ましい。
【００１３】
さらに、写真は横長に撮影する場合も、縦長に撮影する場合もあることから、横長に置いたときの四隅と、縦長に置いたときの四隅を挿し込める位置に切り込みを形成するのが好ましい。
この場合に、写真を横長に置いたときの四隅を挿し込んで止める四つの切込みの一つと、縦長に置いたときの四隅を挿し込んで止める四つの切込みの一つを兼用させれば、合計八つの切込みが七つで足り、切込みを設けることによる記入用紙の強度低下を低減することができる。
【考案を実施するための最良の形態】
【００１４】
本考案は、写真を固定しない場合は普通の帳面として自由に書き込みをすることができ、写真を固定する場合は接着剤を使用するまでもなく必要に応じて好きな頁に写真を固定するという課題を簡単な構成で実現した。
【００１５】
図１は本考案を適用したノートの説明図、図２及び図３は写真を固定した状態を示す説明図である。
【００１６】
本例のノート（帳面）１は、任意に書込可能な横罫、縦罫、縦横罫など任意の罫線入り、若しくは、無地の記入用紙２…が冊子状に綴じられたノートであって、日記、旅行日記、雑記帖、料理レシピ、実験記録、その他の各種作業工程記録など任意の用途に用いられる。
【００１７】
各記入用紙２には、所定サイズ（例えばサービスサイズ）の一枚の写真Ｐの四隅を挿し込んで止める切込み３が形成されている。
この切込み３は、写真Ｐを横長に置いたときの四隅を挿し込んで止める四つの横置用の切込み４ａ〜４ｄと、縦長に置いたときの四隅を挿し込んで止める四つの縦置用の切込み５ａ〜５ｄが形成されている。
そして、本例では、横置用の切込み４ａ〜４ｄのうち例えば右頁では左上の一つの切込み４ａが、縦置用の四つの切込み５ａ〜５ｄのうち左上の一つの切込み５ａを兼用しており、全体で七つの切込み３が形成されている。
【００１８】
以上が本考案の一構成例であり、次にその作用について説明する。
このノート１によれば、記入用紙２…を何枚も重ねた状態でプレスにより切込み３を形成すれば一プレスの加工で足り、写真挿込用ポケットなどを作成する場合に比して、その材料費・加工コストを極めて安価に抑えることができる。
【００１９】
次いで、このノート１を購入したユーザが旅行日記などを作成する場合を想定すると、撮影した写真を貼っておきたい場合もあれば、絵や地図を書いておきたい場合もある。
そして、写真のそばには、感想文などを書き込んでおけば、後から見たときに旅の思い出が鮮明に甦り、あるいは第三者に対して写真の説明をするまでもなく旅の様子や出来事を伝えることができる。
【００２０】
そこで、観光名所などに行ったときに、気付いたことをメモしておき、写真Ｐを現像した時点で、その写真Ｐを切込み３に挿し込んで固定する。
したがって、写真を撮影したときは、後から写真を固定することので、切込み３で囲まれる場所を空けて、その周囲に書き込みをすればよい。
なお、本例では、記入用紙２の１頁に写真１枚分の切込み３が入れてあるだけなので、記入用紙２の表裏両側に写真を固定することができない。したがって、例えば右頁に写真を固定する場合は、左ページは必ず余白となるので、書き込むスペースは十分に確保される。
【００２１】
そして、ノート１に形成されている切込み３が例えばサービスサイズの写真に対応している場合は、撮影した写真をサービスサイズでプリントし、書き込んだ内容と対応する写真Ｐを選んで、その四隅を記入用紙２の切込み３に挿し込んで固定すればよい。
なお、写真Ｐが横長の場合は切込み３のうち横置用の切込み４ａ〜４ｄに四隅を挿し込み、写真Ｐが縦長の場合は切込み３のうち縦置用の切込み５ａ〜５ｄに四隅を挿し込む。
この場合に、横置用の切込み４ａ〜４ｄのうち例えば右頁では左上の切込み４ａが、縦置用の四つの切込み５ａ〜５ｄの左上の切込み５ａを兼用しているので、全体で七つの切込みで二方向に写真を止めることができ、切込み３が一つ少ない分、切込みの数が多くなるほど破れ易くなる記入用紙２の強度低下を防いでいる。
【００２２】
また、地図などを書いたり感想文や気付いたことを記録しておきたい場合に、写真を貼る必要がなければ、そのまま通常のノートとして使用することができ、写真Ｐの四隅を挿し込む前であれば切込み３が段差になることもないので、特に書き難いこともない。
【００２３】
以上述べたように、本考案によれば、写真を固定しない場合は切込みが段差になることもなく、普通のノートとして自由に書き込みをすることができる。
そして、その書き込みの内容に応じて任意の写真を固定する場合は、接着剤を使用するまでもなく、任意の頁の切込みに写真Ｐの四隅を挿し込むだけで、これを簡単に固定することができる。
【産業上の利用可能性】
【００２４】
本考案は、任意の書き込みを行うと共に、記入事項に関連した写真を必要に応じて簡単に添付固定し得る帳面の用途に適用でき、特に、日記、旅行日記、雑記帖、料理レシピ、実験記録、その他の各種作業工程記録用のノート等に用いて好適である。
【図面の簡単な説明】
【００２５】
【図１】本考案に係る帳面の説明図。
【図２】使用状態を示す説明図。
【図３】使用状態を示す説明図。
【符号の説明】
【００２６】
１  ノート（帳面）
２  記入用紙
Ｐ  写真
３  ４ａ〜４ｄ  ５ａ〜５ｄ  切込み
【図１】
0003107886.tif 000003
【図２】
0003107886.tif 000004
【図３】
0003107886.tif 000005